(57)【特許請求の範囲】
【請求項１】
ベビースコープが通されるマザースコープの挿通チャンネルの入口に設けられたルアーロック口金に対して着脱自在に取り付けられる内視鏡用挿入補助具において、
上記ルアーロック口金に対してその外周側から螺合するルアーロック用ナットと、
上記ルアーロック口金の突端部の内径より大きな内径を有する環状に形成され、上記ルアーロック用ナットを上記ルアーロック口金に螺合させることにより上記ルアーロック口金の突端面に押圧されてその状態において上記ベビースコープの挿入部の外径より大きな内径を有するシール部材と、
上記ルアーロック用ナットと一体に形成された弾力性のある部材からなり上記ベビースコープの挿入部を案内するための貫通孔が上記ルアーロック口金の軸線の延長方向に形成された案内部材と、
上記ベビースコープの挿入部の外周面との間の隙間をシールするように上記案内部材の貫通孔内部に形成されたシール部と、
を有することを特徴とする内視鏡用挿入補助具。
【発明の詳細な説明】
【０００１】
【発明の属する技術分野】
この発明は、マザースコープの挿通チャンネルに挿通されるベビースコープを挿通チャンネルの入口に案内するための内視鏡用挿入補助具に関する。
【０００２】
【従来の技術】
マザースコープの挿通チャンネルの入口には一般に、汎用性を考慮して、ルアーロック型の注射針に用いられているのと同様のルアーロック口金が用いられている。
【０００３】
そのルアーロック口金に対して着脱自在に取り付けられる内視鏡用挿入補助具は、ベビースコープ使用時に、挿通チャンネルの入口付近でベビースコープが急激に曲がって折れるのを防止するためのものであり、従来は、全体が弾力性のあるゴムで形成されていた。
【０００４】
【発明が解決しようとする課題】
しかし、全体がゴムで形成された内視鏡用挿入補助具は、そこに挿通されたベビースコープに引っ張られて湾曲すると、ルアーロック口金への取り付け部が変形してシール性が低下するので、体腔内の汚液が噴き出してしまう不都合がある。
【０００５】
そこで、例えば図４に示されるように、ルアーロック口金５１に対して係合させる金具５２を、注射筒等に取り付けられるルアー取り付け金具と同形状に形成し、ベビースコープの折れを防止するためのゴム製の案内部材をその金具にライニングすることが考えられる。
【０００６】
そのように構成すると、金具５２がルアーロック口金５２に緩みなく係合するので、シール性の問題はなくなる。しかし、図４からも明らかなように、金具５２にはルアーロック口金５１内に差し込まれる差し込み管部５３があるので、内径が非常に細くなってしまい、ベビースコープを通すことができない。
【０００７】
そこで本発明は、マザースコープのルアーロック口金に対してシール性が損なわれることなく着脱自在に取り付けることができ、しかもベビースコープを通すための十分な内径を確保することができる内視鏡用挿入補助具を提供することを目的とする。
【０００８】
【課題を解決するための手段】
上記の目的を達成するため、本発明の内視鏡用挿入補助具は、マザースコープの挿通チャンネルの入口に設けられたルアーロック口金に対して着脱自在に取り付けられる内視鏡用挿入補助具において、上記ルアーロック口金に対してその外周側から螺合するルアーロック用ナットと、上記ルアーロック用ナットを上記ルアーロック口金に螺合させることによって上記ルアーロック口金の突端面に押圧されるシール部材と、上記ルアーロック用ナットと一体に形成された弾力性のある部材からなりベビースコープの挿入部を案内するための貫通孔が上記ルアーロック口金の軸線の延長方向に形成された案内部材と、上記ベビースコープの挿入部の外周面との間の隙間をシールするように上記案内部材の貫通孔内部に形成されたシール部と、を有することを特徴とする。
【０００９】
【発明の実施の形態】
図面を参照して、本発明の実施の形態を説明する。
図２は、マザースコープ１０の挿通チャンネル１５にベビースコープ２０の挿入部２１が通された状態を示しており、挿通チャンネル１５の出口は、マザースコープ１０の挿入部の先端（図示せず）に開口している。
【００１０】
マザースコープ１０の挿通チャンネル１５の入口には、図３に示されるように、ルアーロック型の注射針に用いられているのと同じルアーロック口金１２が、挿通チャンネル１５に連通して取り付けられている。
【００１１】
そして、そこに挿通されるベビースコープ２０の挿入部２１が急激に曲がって折れるのを防止するための挿入補助具３０が、ルアーロック口金１２に対して着脱自在に取り付けられるようになっている。１３は、ルアーロック口金１２を塞いでおくためのゴム製の蓋である。
【００１２】
図１は、ルアーロック口金１２に挿入補助具３０が取り付けられて、ベビースコープ２０の挿入部２１が挿通された状態を示している。ルアーロック口金１２の根元部には、蓋１３の取り付け部１３ａが嵌め込まれている。
【００１３】
挿入補助具３０は、ルアーロック口金１２に対してその外周側から螺合するルアーロック用ナット３１と、そのルアーロック用ナット３１をルアーロック口金１２に締め込むことによってルアーロック口金１２突端面１２ａに押圧されるシール部材３２と、ライニング成形によってルアーロック口金１２と一体に形成された弾力性のあるゴム製の案内部材３３によって構成されている。
【００１４】
ルアーロック用ナット３１は、ルアーロック口金１２に外周側から螺合する雌ねじ部３１ａが約半分であり、残りの部分はルアーロック口金１２の突端から突出した位置にあって、その端部はルアーロック口金１２の突端部の内径よりやや太い程度の内径に、細く形成されている。
【００１５】
そして、その部分３１ｂとルアーロック口金１２の突端面１２ａとの間に、シール部材３２が挟まれるように配置されている。シール部材３２は、例えばＮＢＲのような弾力性のあるゴム材等によって、ルアーロック口金１２の突端部の内径よりやや太い内径を有する環状に形成されている。
【００１６】
そして、ルアーロック用ナット３１をルアーロック口金１２にきつく螺合させると、シール部材３２がルアーロック口金１２の突端面１２ａに押圧されて、シール部材３２とルアーロック口金１２との当接部及びシール部材３２とルアーロック用ナット３１との当接部が完全にシールされ、ルアーロック口金１２に対するルアーロック用ナット３１の螺合を緩めない限りシール状態が維持される。
【００１７】
案内部材３３の外形形状は、ルアーロック口金１２への取り付け部から遠ざかるにしたがって次第に細くなるテーパ状に形成されている。そして、案内部材３３の中心軸線はルアーロック口金１２の軸線の延長線上に位置していて、ベビースコープ２０の挿入部２１を案内するための貫通孔３４がその軸線位置に形成されている。
【００１８】
その案内孔３４は、ベビースコープ２０の挿入部２１を軽く挿脱することができるように、ルアーロック口金１２の突端部の内径よりやや太い内径に形成されている。
【００１９】
そして貫通孔３４の途中には、ベビースコープ２０の挿入部２１の外周面に密着する薄いシール部３５が形成されていて、挿入部２１の外周面と貫通孔３４との間の隙間がシールされている。
【００２０】
このように構成された挿入補助具３０は、マザースコープ１０の挿通チャンネル１５の入口に設けられたルアーロック口金１２に対して着脱自在であり、シール部３５部分以外の部分は全てルアーロック口金１２の突端部の内径よりやや太い程度の内径に形成されているので、ベビースコープ２０の挿入部２１を楽に通すことができる。
【００２１】
そして、テーパ状に形成された弾力性のある案内部材３３によって、その中に挿通された挿入部２１の急激な湾曲が防止され、案内部材３３が曲げられても、ルアーロック口金１２に対する装着部のシールは安定して維持される。
【００２２】
【発明の効果】
本発明によれば、マザースコープの挿通チャンネルの入口に設けられたルアーロック口金に対してその外周側からルアーロック用ナットを螺合させることによって、ルアーロック口金の突端面にシール部材が押圧されるので、ルアーロック口金に対して着脱自在であってその係合部のシール性が損なわれず、しかもルアーロック口金に差し込まれる部材がないので、ベビースコープを通すための十分な内径を確保することができる。
【図面の簡単な説明】
【図１】本発明の実施の形態の内視鏡用挿入補助具の部分拡大断面図である。
【図２】本発明の実施の形態のマザースコープの挿通チャンネル１５にベビースコープの挿入部が挿通された状態の側面図である。
【図３】本発明の実施の形態のマザースコープの挿通チャンネル１５の入口部分の側面図である。
【図４】ルアー取り付け金具と同形状の金具がルアーロック口金に接続された状態の部分拡大断面図である。
【符号の説明】
１０  マザースコープ
１２  ルアーロック口金
１５  挿通チャンネル
２０  ベビースコープ
２１  挿入部
３０  挿入補助具
３１  ルアーロック用ナット
３２  シール部材
３３  案内部材
３４  貫通孔
３５  シール部
【図１】
0003626546.tif 000002
【図２】
0003626546.tif 000003
【図３】
0003626546.tif 000004
【図４】
0003626546.tif 000005